(57)【要約】【課題】溶接することなしに隅角部の開き止めを行えて、美麗な外観が得られる建物外装用金属パネルを提供する。【解決手段】メッキ鋼板からなる方形状の表面板部２と、その周囲四辺から裏面側へ直角に折れ曲がり且つ表面板部の四隅部において互いに直角に隣接する部分では表面板部に連なる若干幅の連続部分３が残存するように折り曲げられた側面板部４と、各側面板部の先端から表面側へ直角に折り返された折曲板部５とを備えた建物外装用金属パネルであり、互いに直角に隣接する側面板部の隅角部に、切断端縁６が内側へ彎曲した形状の切欠部７を形成し、切欠部の両側に位置する側面板部の表面に接触する第一鍔部８ａと、切欠部の両側に位置する側面板部の裏面に接触する第二鍔部８ｂと、第一、第二鍔部間に位置して前記切欠部に嵌り込むことが可能な脚部８ｃとから成るメッキ層と同材質の金属ピース８を切欠部に差し込むことにより、側面板部の隅角部の開き止めを行っている。【選択図】        図２
2004293276.tif 000002
【特許請求の範囲】
【請求項１】
メッキ鋼板からなる方形状の表面板部と、その周囲四辺から裏面側へ直角に折れ曲がり且つ表面板部の四隅部において互いに直角に隣接する部分では表面板部に連なる若干幅の連続部分が残存するように折り曲げられた側面板部と、各側面板部の先端から表面側へ直角に折り返された折曲板部とを備え、互いに直角に隣接する側面板部の隅角部に、夫々、切断端縁が内側へ彎曲した形状の切欠部を形成し、これらの切欠部に、切欠部の両側に位置する側面板部の表面に接触する第一鍔部と、切欠部の両側に位置する側面板部の裏面に接触する第二鍔部と、第一、第二鍔部間に位置して前記切欠部に嵌り込むことが可能な脚部とから成るメッキ層と同材質の金属ピースを、切欠部の開放端側から差し込んで、側面板部の隅角部の開き止めを行ったことを特徴とする建物外装用金属パネル。
【請求項２】
切欠部と金属ピースの隙間が接着剤で埋められている請求項１に記載の建物外装用金属パネル。
【発明の詳細な説明】
【０００１】
【発明の属する技術分野】
本発明は、例えば、亜鉛メッキ鋼板、亜鉛・アルミの合金メッキ鋼板等のメッキ鋼板からなる方形状の表面板部と、その周囲四辺から裏面側へ直角に折り曲げられた側面板部と、各側面板部の先端から表面側へ直角に折り返された折曲板部とを備え、表面板部の四隅部において互いに直角に隣接する側面板部の隅角部の開き止めを行った建物外装用金属パネルに関するものである。
【０００２】
【従来の技術】
【特許文献１】
特開平１１−１８１９９６号公報
【０００３】
亜鉛メッキ鋼板や、亜鉛・アルミの合金（例えば亜鉛４５重量％とアルミ５５重量％の合金）メッキ鋼板等のメッキ鋼板は、錆びにくく、美観にも優れているが、これを材料とした従来の建物外装用金属パネルにおいては、互いに直角に隣接する側面板部の隅角部の開き止めを溶接によって行っていたため、次のような問題点があった。
【０００４】
即ち、溶接時の温度は、鋼板の溶融温度である摂氏１２００度の近辺であるのに対し、亜鉛の溶融温度は摂氏４２０度程度であることから、溶接時の熱で、溶接部周辺が亜鉛の溶融温度よりも高温になって、図１０に模式的に示すように、表面板部２の四隅部では、半径約５０ｍｍの範囲でメッキ層の結晶模様が乱れて局部的に変色し、非常に見苦しくなるばかりでなく、隅角部のメッキ層が一部なくなり、メッキ層による本来の防錆効果が損なわれるのである。換言すれば、美観と防錆性能が落ち、商品価値がなくなるのである。そのため、隅角部の溶接Ｗ後、全面塗装する必要があり、建物竣工後においても、定期的な塗り替えが必要とされ、トータルコストが高く付いた。
【０００５】
このような問題点の解決策として、本発明者は、既に、上記特許文献（特開平１１−１８１９９６号公報）に記載の技術を提案している。この従来例は、図８の（Ａ），（Ｂ）に示すように、互いに直角に隣接する側面板部４の端縁に、夫々、折曲板部５に連なる若干幅の溶接代部分が残存するように切欠部を形成し、表面板部２に冷風を吹き付けながら前記溶接代部分を溶接Ｗし、前記切欠部間に形成された貫通孔１１に、当該貫通孔１１の内縁に弾性縁材１２を嵌着した状態で、貫通孔１１に対応する形状の頭部とその裏面に突設された脚部とからなるガスケット１３を外側から嵌め込み、内側の隅角部に不定形シール材１４を前記脚部が埋設された状態に充填したもので、隅角部を溶接して開き止めを行うにもかかわらず、表面板部２の四隅部におけるメッキ層の結晶の表情が損なわれず、メッキ鋼板本来の美観を保ち得るという利点を有している。
【０００６】
また、上記公報には、図９の（Ａ），（Ｂ）に示すように、メッキ層と同じ金属で作製したリベット部材１５を前記貫通孔１１に外側から嵌め込み、リベット部材１５の脚部を押し潰してカシメ止めしても、同様な利点がある旨、開示してある。
【０００７】
しかしながら、この従来例では、何れも、溶接する部分が少ないとはいえ、表面板部に冷風を吹き付けながら前記溶接代部分を溶接Ｗする工程が必要であり、これに加えて、図８の例では、貫通孔１１の内縁に弾性縁材１２を嵌着する工程、図９の例では、リベット部材１５の脚部を押し潰してカシメ止めする工程が必要であり、製造工程数が多い点で改良の余地があった。また、図８の例では、弾性縁材１２が異質感を与えて、不体裁であり、図９の例では、リベット部材１５の頭部が側板部４の表面から大きく突出して不体裁であった。
【０００８】
【発明が解決しようとする課題】
本発明は、上記の事柄を考慮に入れてなされたものであって、その目的とするところは、溶接することなしに隅角部の開き止めを行えて、美麗な外観が得られる建物外装用金属パネルを提供するにある。
【０００９】
【課題を解決するための手段】
上記の課題を解決するために、本発明が講じた技術的手段は、次のとおりである。即ち、請求項１に記載の発明による建物外装用金属パネルは、メッキ鋼板からなる方形状の表面板部と、その周囲四辺から裏面側へ直角に折れ曲がり且つ表面板部の四隅部において互いに直角に隣接する部分では表面板部に連なる若干幅の連続部分が残存するように折り曲げられた側面板部と、各側面板部の先端から表面側へ直角に折り返された折曲板部とを備え、互いに直角に隣接する側面板部の隅角部に、夫々、切断端縁が内側へ彎曲した形状の切欠部を形成し、これらの切欠部に、切欠部の両側に位置する側面板部の表面に接触する第一鍔部と、切欠部の両側に位置する側面板部の裏面に接触する第二鍔部と、第一、第二鍔部間に位置して前記切欠部に嵌り込むことが可能な脚部とから成るメッキ層と同材質の金属ピースを、切欠部の開放端側から差し込んで、側面板部の隅角部の開き止めを行ったことを特徴としている。
【００１０】
上記の構成によれば、メッキ層と同材質の金属ピースを切欠部に開放端側から差し込むことにより、切欠部の切断端縁が金属ピースの第一、第二鍔部で挟み込まれた状態となるので、溶接することなしに隅角部の開き止めを行え、美麗な外観が得られるのである。
【００１１】
殊に、切欠部の切断端縁が内側へ彎曲しているため、メッキ層と同じ金属で作製された金属ピースの第一鍔部が切断端縁の彎曲したメッキ層の上に重なることになり、切断面の防錆効果が得られると共に、金属ピースの第一鍔部と側板部表面（メッキ層）との間に段差のない状態に重ねることが可能となり、美麗な外観が得られるのである。
【００１２】
尚、請求項２に記載の発明のように、切欠部と金属ピースの隙間を接着剤で埋めることは、止水性能を高め得る点で、好ましい。
【００１３】
【発明の実施の形態】
図１〜図４は、本発明に係る建物外装用金属パネルとその構成部品の一例を示し、図５〜図７は、建物外装用金属パネルの製造方法を示している。この建物外装用金属パネルは、例えば、板厚が１．６ｍｍ、両面のメッキ層１の厚さが夫々８ミクロンのメッキ鋼板（例えば、亜鉛メッキ鋼板、亜鉛４５重量％とアルミ５５重量％の合金メッキ鋼板等である。）を材料にして作製されたもので、縦１２００ｍｍ、横２０００ｍｍの方形状をなす表面板部２と、その周囲四辺から裏面側へ直角に折れ曲がり且つ表面板部２の四隅部において互いに直角に隣接する部分では表面板部２との折り曲げ線ａに連なる若干幅（１〜３ｍｍ）の連続部分３が残存するように折り曲げられた幅Ｌが５０ｍｍ程度の側面板部４と、各側面板部４の先端から表面側へ直角に折り返された折曲板部５とを備えている。ｂは側面板部４と折曲板部５との折り曲げ線である。
【００１４】
互いに直角に隣接する側面板部４，４の隅角部には、夫々、図２や図７に示すように、切断端縁６が内側へ彎曲した形状の切欠部７を形成し、これらの切欠部７に、メッキ層１と同じ金属（例えば、亜鉛、亜鉛４５重量％とアルミ５５重量％の合金等である。）で作製され、且つ、図２〜図４に示すように、切欠部７の両側に位置する側面板部４，４の表面（メッキ層１）に接触する第一鍔部８ａと、切欠部７の両側に位置する側面板部４，４の裏面（メッキ層１）に接触する第二鍔部８ｂと、第一、第二鍔部８ａ，８ｂ間に位置し、前記切欠部７に嵌り込むことが可能な厚み寸法の脚部８ｃとから成る金属ピース８を、切欠部７の開放端側から適度の押圧力をもって差し込むことにより（かち込むことにより）、側面板部４，４の隅角部の開き止めを行ってある。
【００１５】
金属ピース８の第一鍔部８ａは、図４に示すように、端に行くほど薄い断面形状に形成されている。また、第一鍔部８ａの先端は、図３に示すように、第二鍔部８ｂ及び脚部８ｃの先端より突出しており、金属ピース８を切欠部７に差し込んだ際、脚部８ｃ先端と切欠部７との当接部を第一鍔部８ａ先端の突出部で隠蔽するように構成されている。前記切欠部７と金属ピース８との隙間には、図２に示すように、エポキシ系の接着剤９を充填して、止水性能を高めてある。接着剤９の充填は、例えば、金属ピース８の第一、第二鍔部８ａ，８ｂ間に形成される溝に接着剤９を塗布した状態で、金属ピース８を切欠部７に差し込むことによって行われる。
【００１６】
上記の構成によれば、切欠部７の切断端縁６が内側へ彎曲しているため、メッキ層１と同じ金属で作製された金属ピース８の第一鍔部８ａが切断端縁６の彎曲したメッキ層１の上に重なることになる。従って、切断面（鋼板部分の切断面）Ｓが露出せず、切断面Ｓの防錆効果が発揮されることになる。
【００１７】
しかも、切欠部７の切断端縁６が内側へ彎曲しており、一方、第一鍔部８ａが端に行くほど薄い断面形状に形成されているので、図２に示すように、金属ピース８の第一鍔部８ａの表面と切欠部７の両側に位置する側面板部４，４の表面（メッキ層１）との間に段差が生じず、美麗な外観が得られるのである。
【００１８】
切断端縁６が内側へ彎曲した形状の切欠部７を形成するにあたっては、第一の切断工程において、方形状のメッキ鋼板の四隅を、図５の（Ａ）に示すように、折り曲げ線ｂ，ｂの位置で切除する。この切除は、折曲板部５の長手方向両端部が、当該折曲板部５の長手方向と直角な折り曲げ線ａから適当寸法Ｌ１にわたって切除された状態に行われる。しかる後、第二の切断工程において、図５の（Ｂ）に示すように、側板部４，４の端部を、折り曲げ線ａ，ａの交点Ｐとの間に、若干幅Ｌ２（１〜３ｍｍ）の連続部分３が残り、且つ、折曲板部５の端部より長くした部分が残る状態に切断し、側板部４，４を折り曲げ線ａ，ａから折り曲げることによって前記切欠部７となる切欠き７ａ，７ｂを形成する。
【００１９】
第一の切断工程では、切断端縁が彎曲しないように切断されるが、第二の切断工程では、図６の（Ａ），（Ｂ）に示すように、側面板部４の裏面を支持する第一刃体１０ａと、第一刃体１０ａに対して昇降可能な第二刃体１０ｂとから成る押切り状の切断装置によって、側面板部４の端部を切断する際、第一刃体１０ａと第二刃体１０ｂとの間を微小距離（メッキ鋼板の板厚より短い距離）Ｌ３離した状態で、切断を行うのである。これにより、側面板部４の端部が第二刃体１０ｂによって裏面側へ押し曲げられた後、切断されることになり、図２で示したような切断端縁６が内側へ彎曲した形状の切欠部７を形成できるのである。
【００２０】
【発明の効果】
本発明は、上述した構成よりなり、溶接することなしに隅角部の開き止めを行えて、美麗な外観の建物外装用金属パネルが得られる等の効果がある。
【図面の簡単な説明】
【図１】本発明に係る建物外装用金属パネルの一部を拡大して示した斜視図である。
【図２】図１のＡ−Ａ線断面拡大図である。
【図３】金属ピースの側面図である。
【図４】図３のＢ−Ｂ線断面図である。
【図５】折曲加工する前のメッキ鋼板の端部の平面図である。
【図６】切断端縁が内側へ彎曲した切欠部を形成するための切断方法を説明する図である。
【図７】建物外装用金属パネルの製造方法を説明する斜視図である。
【図８】従来例の説明図である。
【図９】従来例の説明図である。
【符号の説明】
１…メッキ層、２…表面板部、３…連続部分、４…側面板部、５…折曲板部、６…切断端縁、８…金属ピース、８ａ…第一鍔部、８ｂ…第二鍔部、８ｃ…脚部９…接着剤。
【図１】
2004293276.tif 000003
【図２】
2004293276.tif 000004
【図３】
2004293276.tif 000005
【図４】
2004293276.tif 000006
【図５】
2004293276.tif 000007
【図６】
2004293276.tif 000008
【図７】
2004293276.tif 000009
【図８】
2004293276.tif 000010
【図９】
2004293276.tif 000011
【図１０】
2004293276.tif 000012